(57)【要約】【課題】  畳の施工およびメンテナンスを容易にすることができる新規な畳の敷設方法を提供することにある。【解決手段】  畳の敷設方法であって、敷設される畳として、従来規格寸法の畳表と畳床とからなる畳を平面視において所定形状に分割した外形寸法を有するブロック畳を用い、当該ブロック畳を組み合わせて室内に敷設する畳の敷設方法である。また、敷設される畳として、平面視において所定形状に成形された外形寸法を有するブロック畳床を用いるとともに、平面視において所定形状に成形されたブロック畳表を用い、前記ブロック畳床を組み合わせて室内に敷設した後に該ブロック畳床を前記ブロック畳表により被覆する畳の敷設方法である。【選択図】図２
2008163619.tif 000002
【特許請求の範囲】
【請求項１】
畳の敷設方法であって、敷設される畳として、従来規格寸法の畳表と畳床とからなる畳を平面視において所定形状に分割した外形寸法を有するブロック畳を用い、当該ブロック畳を組み合わせて室内に敷設することを特徴とする畳の敷設方法。
【請求項２】
前記ブロック畳が、正方形、長方形、三角形、丸形等の幾何学的形状であることを特徴とする請求項１に記載の畳の敷設方法。
【請求項３】
畳の敷設方法であって、敷設される畳として、平面視において所定形状に成形された外形寸法を有するブロック畳床を用いるとともに、平面視において所定形状に成形されたブロック畳表を用い、前記ブロック畳床を組み合わせて室内に敷設した後に該ブロック畳床を前記ブロック畳表により被覆することを特徴とする畳の敷設方法。
【請求項４】
前記ブロック畳床及びブロック畳表が、正方形、長方形、三角形、丸形等の幾何学的形状であることを特徴とする請求項３に記載の畳の敷設方法。
【発明の詳細な説明】
【技術分野】
【０００１】
本発明は、日本家屋または和室内に敷きつめ、その上で日常起居する厚い敷物、つまり畳の敷設方法に関するものである。
【背景技術】
【０００２】
主に日本家屋の和室内に敷きつめられる畳には一定の規格があって、従来からのものでは、図１に示す畳一枚について、長辺が５尺８寸、つまり１７４センチメートル、短辺は２尺９寸、つまり８７センチメートルとなる。厚さは２寸で６センチメートルである。ただし、地域または部屋の間取りにより、長さ厚さともに多少、異なる規格があるほか、一般家屋より畳替えの頻度が多いホテル・旅館などではコストの関係から厚さが１寸、つまり３センチメートルほどのものを使用している。ちなみに、従来からの規格で一般的なものとしては、畳一枚について江戸間用および五八間用では、一辺が１７６センチメートル、一辺が８８センチメートル。六一間（広島本間）用では、一辺が１８４センチメートル、一辺が９２センチメートル。本間用では、一辺が１９１センチメートル、一辺が９５．５センチメートル、などがある。なお、四畳半部屋用として、畳一枚の半分の半畳タイプの畳も一般的である。例えば四畳半の部屋では、一畳タイプが４枚、半畳タイプが１枚敷かれることになる。
【０００３】
次に、畳の構造であるが、図１に示すとおり、一般的なもので、下張り８、畳床６、畳表５の三層構造となっており、畳の長辺２双方に畳縁布７が宛てがわれている。なお、下張り８および畳縁布７がない畳もある。
【０００４】
重さは、従来からのもので、一畳で３０キログラム前後、畳表の下の部分である畳床部分に木質系繊維あるいは発泡スチロール系の新建材を用いたものでは、従来タイプの半分、１５キログラム前後となる。
【０００５】
上述の通り、地域格差による多少の相違はあるものの、このように畳の寸法が規格化されているのは、建築物建造の際の設計や建築の負担を軽減するためであり、不可欠なもとといえる。しかしながら、前記規格の畳では、以下のような数々の問題が生じている。
【０００６】
即ち、図１に示す従来からの規格の畳では、縦・横・厚さとも一定の長さがあり、大きく重いため、軽トラック等を使用しなければ持ち運びが出来ない。軽量タイプの畳でも重さは半分となるが、大きいため困難を伴う。なお、長期間使い込んだ畳は水分をたっぷりと含むため、新しい畳の１．５倍くらいの重さになることもあるため、畳干しは重労働である。
【０００７】
また、畳は和室という一定の間取りの床一面にすっぽりと埋まるべく規格があるもので、和室間取りではない洋間などに畳を敷いた場合には、床一面に敷くことが出来ないという不具合も生じる。
【０００８】
そこで、このような問題点を解決すべく、種々の技術が提案されている。例えば、畳縁の模様替えあるいは修理を、畳を敷設したままで素人の手でも迅速、簡便且つ安価に施工できるようにした畳縁用直貼りリボンとその敷設方法がある（特許文献１参照）。しかしながら、かかる技術は畳縁の交換に関するものであり、畳表の張替えを容易にすることはできず、前記問題点の解決には至っていない。
【０００９】
また、定型畳床に畳表を設置して畳を形成し、該畳を室の大きさに応じて所望数設置する一方。該畳と敷居等の枠体間に開く間隙には適宜巾の縁部と該縁部よりの垂下部を形成し、適宜間隔に止め釘を設ける如く構成した回し縁を以って前記間隙を被い、且つ畳の位置固定をする如く畳に止着したことを特徴とする畳敷設方法も提案されている（特許文献２参照）。さらに、室内の床面の少なくとも隣り合う２辺に沿って板畳を敷き詰めることで、複数の規格寸法の畳を敷き並べることができる畳敷き部を床面に形成し、この畳敷き部に複数の規格寸法の畳を敷き並べるようにしたことを特徴とする畳床の敷設方法
が提案されている（特許文献３参照）。しかしながら、いずれの技術も、規格寸法の畳を使用することを前提とした畳の敷設方法であるため、規格品の大きさや重さから生じる前記問題点を解決するには至っていない。
【特許文献１】特開２００５−２９０９６１号公報
【特許文献２】特開平７−１１９２８４号公報
【特許文献３】特開２００２−８９０１８号公報
【発明の開示】
【発明が解決しようとする課題】
【００１０】
そこで本発明は、これらの欠点を解決するためのもので、その目的とするところは、従来畳の軽量・小型化を図ることで、運搬性及び作業性を向上させた敷設しやすい畳の敷き方の新方法である。
【課題を解決するための手段】
【００１１】
上記目的を達成するための、本発明に係る畳の敷設方法とは次のようなものである。
【００１２】
すなわち、本発明は、畳の敷設方法であって、敷設される畳として、従来規格寸法の畳表と畳床とからなる畳を平面視において所定形状に分割した外形寸法を有するブロック畳を用い、当該ブロック畳を組み合わせて室内に敷設する畳の敷設方法である。
【００１３】
また、本発明は、前記ブロック畳が、正方形、長方形、三角形、丸形等の幾何学的形状である畳の敷設方法である。
【００１４】
さらに、本発明は、畳の敷設方法であって、敷設される畳として、平面視において所定形状に成形された外形寸法を有するブロック畳床を用いるとともに、平面視において所定形状に成形されたブロック畳表を用い、前記ブロック畳床を組み合わせて室内に敷設した後に該ブロック畳床を前記ブロック畳表により被覆する畳の敷設方法である。
【００１５】
そしてまた、本発明は、前記ブロック畳床及びブロック畳表が、正方形、長方形、三角形、丸形等の幾何学的形状である畳の敷設方法である。
【発明の効果】
【００１６】
本発明のブロック畳の敷設方法は、従来の規格品畳と比較して小型・軽量であることから、持ち運びが便利で施工が簡単である。特に、畳干しが容易であるほか、分離タイプのブロック畳だと、畳表が汚れた場合、畳床部分から畳表だけを取り外し、取り替えられ、経済的にもすぐれている。
【発明を実施するための最良の形態】
【００１７】
この発明に係る畳の敷設方法は次のようなものである。
【００１８】
本発明の第一の実施形態にかかる畳の敷設方法に用いるブロック畳の形状は、従来規格の畳を平面視において所定形状に分割した形状となっており、かかる形状に限定はなく、正方形、長方形、三角形、丸形等の幾何学的形状とすることができる。本実施形態においては、前記ブロック畳を組み合わせて室内に敷設するものである。
【００１９】
例えば、ブロック畳の実施例として、従来規格品の一畳を平面視において等分割したものが考え得る。つまり、三分の一畳、四分の一畳、六分の一畳といったものであり、六畳の間取りの部屋にブロック畳を敷く場合は、三分の一畳タイプのブロック畳では十八枚を敷くことになる。六分の一畳タイプでは三十六枚である。
【００２０】
また、本発明の第二の実施形態にかかる畳の敷設方法に用いるブロック畳床の形状は、従来規格の畳床を平面視において所定形状に分割した形状となっており、かかる形状に限定はなく、正方形、長方形、三角形、丸形等の幾何学的形状とすることができる。さらに、本実施形態にかかる畳の敷設方法に用いるブロック畳表の形状については、特に限定するものではなく、正方形、長方形、三角形、丸形等の幾何学的形状に成形されている。本実施形態においては、前記ブロック畳床を組み合わせて室内に敷設した後に、該ブロック畳床を前記ブロック畳表により被覆するものである。
【００２１】
例えば、ブロック畳床の形状として四分の一畳に等分割したタイプを用い、また、ブロック畳表の形状として従来規格寸法一畳タイプを用いた場合、ブロック畳床四枚の上に、ブロック畳表一枚を被せることとなる。なお、実際に敷設する際には、ブロック畳床とブロック畳表とを接合部材により接合することが好ましい。
【００２２】
以上、２つの実施形態からわかるように、本発明によれば、畳そのものあるいは畳床が所定形状に分割されているため、畳を敷く作業、畳干しをする作業等が重労働から解放される。なお、本発明に用いられるブロック畳、ブロック畳床、ブロック畳表の形状・寸法・組合せによって、実施態様は無数にある。
【００２３】
具体的には、六畳間の部屋全体の畳替えの場合は、まず使い込んだ畳六枚を撤去する。四分の一畳に等分割したブロック畳を用いて敷設する場合は、四枚で従来規格品の一畳に相当するので、二十四枚を敷き敷設完了である。
【００２４】
一方、四分の一畳に等分割したブロック畳床及び一畳タイプのブロック畳表を用いて敷設する場合は、始めにブロック畳床を二十四枚を敷き、その上にブロック畳表六枚を被せ、接合部材で結合する。ブロック畳床四枚にブロック畳表一枚を被せる態様である。
【００２５】
図２は、本発明の第一の実施形態を示す平面図である。六畳間の畳一枚の汚れがひどいため取り替えたもので、四分の一畳タイプのブロック畳１０が四枚入っている。
【００２６】
図３及び図４は、本発明の第二の実施形態を示しており、図３は構造を示す断面図、図４は敷設例を示す平面図である。図４においては敷設例として、六分の一畳タイプのブロック畳床６を六枚敷いた上へ、従来規格品の一畳タイプのブロック畳表５を被せ、接合部材で両者を結合したものを示している。
【図面の簡単な説明】
【００２７】
【図１】一般的な畳の構造を示す斜視図である。
【図２】本発明の第一の実施形態を示す平面図である。
【図３】本発明の第二の実施形態の構造を示す断面図である。
【図４】本発明の第二の実施形態の敷設例を示す平面図である。
【符号の説明】
【００２８】
１    畳
２    畳の長辺
３    畳の短辺
４    畳の厚さ
５    畳表
６    畳床
７    畳縁布
８    下張り
９    接合部材
１０    ブロック畳
１１    ブロック畳床
１２    ブロック畳表
【図１】
2008163619.tif 000003
【図２】
2008163619.tif 000004
【図３】
2008163619.tif 000005
【図４】
2008163619.tif 000006